(57)【要約】【課題】情報を無限に記載することができる箱を提供する。【解決手段】製品収納等容器の外側を無限に紙で巻きつけ端部を止めることを特徴とした箱。【選択図】  図３
2018177333.tif 000002
【特許請求の範囲】
【請求項１】
製品収容箱部に続く記載面を設け、前記記載面を前記収納箱部に巻きつけ記載面を無限大に拡大し得、前記記載面の端部を止め得ることを特徴とした巻箱。
【発明の詳細な説明】
【技術分野】
【０００１】
本発明は情報量の多い収容物に関する。
【背景技術】
【０００２】
従来の箱は、記載面が小さく、製品の説明は別にパンフレットを作って添付していたので、無くなって使用法が判らなくなった。
【発明の概要】
【発明が解決しようとする課題】
【０００３】
従来の箱は、記載面が小さく、製品の説明は別にパンフレットを作って添付していたので、無くなって使用法が判らなくなった。                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                      本発明はこのような課題に鑑みてなされたものである。                                                                             
【課題を解決するための手段】
【０００４】
このような課題を解決する本発明は、説明書が紛失しないように、商品格納容器の印刷面を拡大する必要があり、具体的には容器の一端から商品容器に巻きつける長方形の板面を設け、この板面は容器の幅に合わせた幅は長手方向に折り目を入れ、前記商品格納容器にぐるぐる巻き、この板面の数は制限されず、任意の数の板面とし、板面の表側には取り扱い説明の内容例えば成分や効能等を記載し、板面に記載する情報量を増やしたい場合には、前記板面の数を増やせばよく、理論的には板面を無限に増やし、無限の情報を書き込むことができる。前記板面の端部にストッパを設け、前記ストッパ段を前記容器の面数例えば四角形なら４番目に設ける。
【発明の効果】
【０００５】
本発明によれば、箱の表面に小さい箱でも取扱い説明書等を大量に書き込める。取扱い説明書を紛失して分からなくなるという不具合が無くなる。取扱説明書を作る必要がなく、コストダウンとなる。使用者に便利である。販売が促進される。紙の一面印刷で連続形で１ショットで打ち抜きなので、量産に適する。フラットになるので、在庫の処理が便利になる。情報が書き込まれているので、いちいち取扱い説明書を読む必要がない。などなど多大な効果がある。
【図面の簡単な説明】
【０００６】
【図１】本発明の展開図
【図２】情報が書き込まれた本発明の展開図
【図３】本発明の箱の上面図で巻き込み状態を示す
【図４】本発明の組立て斜視図
【本発明を実施するための形態】
【０００７】
図１は本発明箱の平面形状を示す図（展開図）である。本発明は、収容する製品の容器格納部１０と、情報記載部２０とから構成されている。製品収納部は、１ａ〜１ｄ（１０）から構成されている。製品は１ａ〜１ｄで囲まれる格納部１０内に格納される。１ａ〜１ｄには折り目１４が付けられている。なお、容器格納部１０は４枚に限るものではなく、３枚，５枚等の任意の数の面から構成することもできる。容器を包むことができるものであれば、面の数に制限はない。１ｅは容器格納部１０に形成するための接着部であり、ここに両面テープ等粘着材を設ける。
また、図の２は容器格納部１０の底面が製品の重みで底が抜けないようロックする爪である。１，１ａ，１ｂ，１ｄが上蓋で１のベロ１ａの根本左右１ｆに切り込みを入れ、ベロ１ｂ，１ｄの縦線を図の如く傾斜させてベロを開き難くしてあるが、前記切り込みを入れずベロ１ｂ，１ｄに前記傾斜を設けなくとも本発明に含まれるものである。底面は爪２（図１参照）でロックされ、内容製品が落ちない構造となっている。合計で８枚の面が形成され、情報記憶部２０には所定の情報が記載される。
【０００８】
情報記載部２０は、この例では情報面１１は８本の折り目１４を設け、折り目１４で曲げることができるようになっている。１２は情報面端に取付けられたストッパ、１３は該ストッパが挿入され、巻いた形状を固定させるためのストッパ孔である。ストッパ１２とストッパ孔１３は情報記載部２０が完全に巻き取られた状態で接合されるようになっている。
【０００９】
図２は実際の容器表面の情報記載面を示す図である。容器格納部１０には収納製品の「１５の有効成分」、「４４の効果」、「３３の料理」中松義郎医学博士の１０の治療法」、「サー中松博士の履歴」が記載されている。
【００１０】
図３は情報記載部２０の折り込み状態を示す上面図である。容器格納部１０はその平面と底面が例えば正方形である。この正方形の一片から板面１１を容器格納部１０の外側に巻き込む。例えば８枚目の板面で巻き付けが終わり、その先端のストッパ１２からストッパ孔１３にストッパ１２を挿入して箱への巻き付けが完成する。
ストッパセット１２，１３は１セットを例に挙げたが、箱の高さ方向１ｂの１/３の位置に２つ
ストッパを設けてもよい。また、前記１/３の位置にストッパ用孔１３を２個設ける、数は
１個、２個以外でもよい。
なお、前述したように容器格納箱１０の面１の数は４面に限るものではなく、例えば３枚にして三角形等であってもよい。勿論五角形状等であってもよく、これに従って面１１の大きさや折り目の数を変える変更等は全て本発明に含まれる。
【００１１】
図４は本発明の説明を示す斜視図である。中心に１０はあり容器格納箱が形成されている。
【００１２】
情報面１１は図３に示すように箱１０の外側に巻き込んでいく。そして、巻き込みが終了したら、正方形状の直方体が形成される。ここで、ストッパ１２をストッパ情報面１１は固定される。
【００１３】
本発明によれば、情報面１１の数を増やすことで、更に多くの情報を書き込むことができる。情報面１１を増やせば、無限大の情報を書き込むことができる。
【産業上の利用可能性】
【００１４】
本発明により、ティーカップ、健康補助食品、菓子類、日用品，電気製品等のパッケージとしても用いて、特に多くの説明が必要な時に、刷紙で取扱い説明書を作る必要もなく、紛失のおそれなく、小さい箱で充分な記載面積を有する便利で効果のある量産に適し、ローコストになり、展開するとフラットになるので、在庫でスペースをとらないので、産業上の利用可能性大である。
【符号の説明】
【００１５】
１  上蓋
１ａ  上蓋ベロ
１ｂ  上左ベロ
１ｃ  箱部の一面
１ｄ  上右ベロ
１ｅ  箱を形成する接着部
１ｆ  ベロ左右の切込
２    箱底板開防止ベロ
３  箱底板
４  箱底板ベロ
５  下左ベロ
６  下右ベロ
１０  製品格納箱部
１１  情報面
１２  情報面ストッパ
１３  情報面ストッパ用孔
１４  情報面折り目
２０  情報記載部
【図１】
2018177333.tif 000003
【図２】
2018177333.tif 000004
【図３】
2018177333.tif 000005
【図４】
2018177333.tif 000006